(57)【特許請求の範囲】
【請求項１】
雌雄ボタン（１，２）と、生地（Ｆ１，Ｆ２）の外表面側に設けられた装飾部（３，３Ａ，３Ｂ，３Ｃ，３Ｄ，３Ｅ，３Ｆ）を有するボタンであって、前記雌雄ボタン（１，２）はそれぞれ糸通過用の孔（１４，２３）を有し、縫い糸（１５，２４）によりそれぞれ前記生地（Ｆ１，Ｆ２）に取り付けられるものにおいて、
前記装飾部（３）は、基部（４，４Ａ，４Ｂ，４Ｃ，４Ｄ，４Ｅ，４Ｆ）と、この基部に対してはめ込み可能な表面部材（５，５Ａ，５Ｂ，５Ｃ，５Ｄ，５Ｅ，５Ｆ）からなり、
前記基部（４，４Ａ，４Ｂ，４Ｃ，４Ｄ，４Ｅ，４Ｆ）は、縫い糸（１５）により生地（Ｆ２）に取り付けられるものであり、
前記表面部材（５，５Ａ，５Ｂ，５Ｃ，５Ｄ，５Ｅ，５Ｆ）には糸通過用の穴が設けられておらず、
前記雌ボタン（１）又は前記雄ボタン（２）と前記基部（４，４Ａ，４Ｂ，４Ｃ，４Ｆ）が同じ糸（１５）で生地（Ｆ２）に取り付けられていることを特徴とするボタン。
【請求項２】
前記基部（４，４Ｄ）は、中央が盛り上がって円柱段部（４１，４１Ｄ）となり、その円柱段部に貫通孔（４３，４３Ｄ）を有する円板（４２，４２Ｄ）であり、
前記表面部材（５，５Ｄ）は、装飾円板（５１，５１Ｄ）と、その装飾円板の下部に取り付けられる脚部（５２，５２Ｄ）からなるものであって、
前記貫通孔（４３，４３Ｄ）に前記脚部（５２，５２Ｄ）が係合可能である請求項１記載のボタン。
【請求項３】
前記基部（４Ａ）は、中央が盛り上がってキノコ型突起（４１Ａ）となった円板（４２Ａ）であり、
前記表面部材（５Ａ）は、その底部に凹部（５８）が形成されている肉厚の装飾円板（５１Ａ）からなるものであって、
前記凹部（５８）に前記キノコ型突起（４１Ａ）が係合可能である請求項１記載のボタン。
【請求項４】
前記基部（４Ｂ）は、周縁部（４７）が盛り上がっている円板（４２Ｂ）であり、
前記表面部材（５Ｂ）は周縁部（５６Ｂ）が盛り上がった装飾円板（５１Ｂ）からなるものであって、
前記相互の周縁部（４７，５６Ｂ）を弾力的に嵌め合わせることにより結合可能である請求項１記載のボタン。
【請求項５】
前記基部（４Ｃ）は、周縁部（４７Ｃ）が盛り上がってそこで雄ねじ部（４８）を形成している円板（４２Ｃ）であり、
前記表面部材（５Ｃ）は、周縁部（５６Ｃ）が盛り上がってそこで雌ねじ部（５９）を形成している装飾円板（５１Ｃ）からなるものであって、
前記相互のねじ部（４８，５９）を締め合うことにより結合可能である請求項１記載のボタン。
【請求項６】
前記基部（４Ｅ）は、中央に貫通孔（４３Ｅ）を有する平坦な円板（４２Ｅ）であり、
前記表面部材（５Ｅ）は、装飾円板（５１Ｅ）と、その装飾円板の下部に取り付けられる脚部（５２Ｅ）からなるものであって、
前記貫通孔（４３Ｅ）に前記脚部（５２Ｅ）が係合可能である請求項１記載のボタン。
【発明の詳細な説明】
【技術分野】
【０００１】
本発明は、ボタン及びその取付方法に関する。特に、雌雄ボタンと、生地を介した外表面側の装飾部とからなるボタンであって、打ち付け機械を使用せず、縫い糸のみによって取付可能なボタンに関する。
【背景技術】
【０００２】
雌雄ボタンからなるボタンは、２枚の生地にそれぞれ係合面を向かい合わせて取付ける。そのとき、外表面にはボタン取付用の糸が露出したり、ボタンの形に生地がへこんだりするので見苦しくなり、外出着としては好まれない。
【０００３】
この問題を解決するため、外表面側は装飾部を被せているボタンがあるが、装飾部に糸通し孔を開けるのはやはり見苦しいので、縫い糸を使用せず、打ち付け機械で固定するのが普通である（例えば、下記特許文献１参照）。
【特許文献１】特開平５−１２３２０６号公報
【発明の開示】
【発明が解決しようとする課題】
【０００４】
打ち付け機械を使用する方法では、そのような機械がないと、取り付けができないので、例えば家庭内では事実上使用できない。また、打ち付け機械があっても、薄手の生地では機械による打ち付けは困難である。また、ニット製品など伸縮性のある生地では、穴が広がるため、ボタンが外れて不可能だった。
【０００５】
本発明は、これらの問題を解決するために行われたもので、打ち付け機械を使用せずに取付可能である、外表面側が装飾部を有するボタンを提供することを目的とする。
【課題を解決するための手段】
【０００６】
請求項１に係る発明のボタンは、雌雄ボタンと、生地を介して外表面側に設けられた装飾部を有するボタンであって、前記雌雄ボタンはそれぞれ糸通過用の孔を有し、縫い糸によりそれぞれ生地に取り付けられるものにおいて、前記装飾部は、基部と、この基部に対してはめ込み可能な表面部材からなり、前記基部は縫い糸により生地に取り付けられるものであり、前記雌ボタン又は前記雄ボタンと前記基部が同時に同じ糸で生地に取り付けることを特徴とする。
【０００７】
請求項７に係る発明のボタンは、生地の外表面側に設けられる装飾部を有するボタンであって、前記装飾部は、基部と、この基部に対してはめ込み可能な表面部材からなり、前記基部は、縫い糸により生地に取り付けられるものであることを特徴とする。
【０００８】
請求項８に係る発明の方法は、雌雄ボタンと、生地を介して外表面側に設けられた装飾部を有するボタンを生地に取り付ける方法であって、前記雌雄ボタンのそれぞれの糸通過用の孔に縫い糸により生地に取り付けるとともに、前記装飾部の基部を縫い糸により生地に取り付け、はめ込み可能な表面部材を前記基部にはめ込むことを特徴とする。
【発明の効果】
【０００９】
請求項１及び８に係る発明によれば、雌雄ボタンはそれぞれ糸通過用の孔を有し、縫い糸によりそれぞれ生地に取り付けられるだけでなく、生地を介した外表面側の装飾部も縫い糸により生地に取付可能である。本発明のボタンは打ち付け機械を使用せず、ミシンさえあれば取付可能であるので、一般家庭でも取り付けることができる。また、打ち付け機械を使用しないので、薄手の生地に対しても取り付けることができる。さらに、縫製により取り付けるので、外れる心配が無く、ニット製品など伸縮性のある生地にも使用が可能となると共に、貝などの天然物やガラスのような打ち付けにより壊れやすい素材も本発明では装飾部材として使用することができるようになった。
【００１０】
請求項７に係る発明によれば、雌雄ボタンを持たないので、生地同士の接合はできないが、打ち付け機械を使用せずに衣服の装飾に使用することができる。生地の接合を除けば、請求項１及び８に係る発明と同様の効果を有する。
【発明を実施するための最良の形態】
【００１１】
装飾部は、基部と、この基部に対してはめ込み可能な表面部材からなる。基部と表面部材の組合せには様々な形態がある。
【００１２】
ある実施形態（後記実施例１及び５）では、基部は、中央が盛り上がって円柱段部となった円板である。この円板には数カ所糸の通過用の孔があり、この孔を介して生地に縫い糸で取り付けられている。ボタン本体（雌ボタン又は雄ボタン）と基部は同時に同じ糸で生地に取り付けるのが好ましいが、別の糸でもよい。表面部材は、装飾円板と、その装飾円板の下部に取り付けられる脚部からなる。脚部は、中央に突出する突起を有する円板である。装飾円板と脚部はそれぞれの周縁部においてかしめられることにより一体化されている。基部と表面部材とは、脚部の突起を基部の貫通孔に差し込むことにより結合される。基部は、金属製の場合は糸通し穴を設けておく必要があるが、合成樹脂製のときには、ミシン針が貫通可能であるので、糸通し穴を設けておく必要はない。
【００１３】
別の実施形態（後記実施例２）では、基部は、中央が盛り上がってキノコ型突起となった円板である。円板部には数カ所糸の通過用の孔があり、この孔を介して生地に縫い糸で取り付けられる。表面部材は、肉厚の装飾円板からなる。装飾円板の底部には、前記キノコ型突起を受け入れるための凹部が形成されている。基部と表面部材とは、基部のキノコ型突起を表面部材の凹部に差し込むことにより結合される。
【００１４】
さらに別の実施形態（後記実施例３）では、基部は、周縁部が盛り上がっている円板である。円板には数カ所糸の通過用の孔があり、この孔を介して生地に縫い糸で取り付けられる。表面部材は周縁部が盛り上がった装飾円板からなる。基部と表面部材とは、相互の周縁部を弾力的に嵌め合わせることにより結合される。
【００１５】
さらに別の実施形態（後記実施例４）では、基部は、周縁部が盛り上がってそこで雄ねじ部を形成している円板である。円板には数カ所糸の通過用の孔があり、この孔を介して生地に縫い糸で取り付けられる。表面部材は、周縁部が盛り上がってそこで雌ねじ部を形成している装飾円板からなる。基部と表面部材とは、相互のねじ部を締め合うことにより結合される。
【００１６】
さらに別の実施態様（後記実施例６）によれば、基部は、中央に貫通孔を有する平坦な円板であって、円柱段部がない。表面部材は、装飾円板と、その装飾円板の下部に取り付けられる脚部からなる。前記貫通孔に前記脚部が係合可能である。円柱段部を設けないため、上記実施態様のものと比べて脚部との結合強度は劣るが、安価に製作することができる。
【実施例１】
【００１７】
以下、添付の図面に基づき、本発明の実施例を説明する。
【００１８】
図１は、本発明のボタンを取り付けた状態の断面図であり、雌ボタン１（図１（ａ））と雄ボタン２（図１（ｂ））を別々に示している。
【００１９】
雄ボタン２は、金属製で、取付基部２１と係合用突起２２からなる。取付基部２１には数カ所糸の通過用の孔２３があり、この孔を介して生地Ｆ１に縫い糸２４で取り付けられている。雄ボタン２は、従来のものと変わりない。
【００２０】
雌ボタン１も表面側の装飾部を除くと、従来のものと変わらない。すなわち、係合凹部１１を中央に有する椀状の部材１２であり、係合凹部１１は中心方向にバネ１３で付勢されている。椀状部材１２には数カ所糸の通過用の孔１４があり、この孔１４を介して生地Ｆ２に縫い糸１５で取り付けられている。
【００２１】
本発明の特徴は表面側の装飾部３であって、基部４と表面部材５からなる。
【００２２】
基部４は、図２（ｂ−１）（ｂ−２）に示すように、中央が盛り上がって円柱段部４１となった円板４２である。円柱段部４１の中央に貫通孔４３があり、その周囲に放射状に薄肉部４４が形成されている。円板部４２には数カ所糸の通過用の孔４５があり、この孔４５を介して生地Ｆ２に縫い糸１５で取り付けられている（図１参照）。雄ボタン２と基部４は同時に同じ糸１５で生地に取り付けるのが好ましいが、別の糸でもよい。
【００２３】
表面部材５は、図２（ａ）に示すように、装飾円板５１と、その装飾円板５１の下部に取り付けられる脚部５２からなる。装飾円板５１は、表面に文字や模様が刻印又は印刷された円板である。脚部５２は、中央に突出する突起５３を有する円板５４である。
【００２４】
装飾円板５１と脚部５２はそれぞれの周縁部においてかしめられることにより一体化されている。この例では、装飾円板５１の周縁部５６が脚部５２の周縁部５７をくるめるようにかしめている。
【００２５】
基部４と表面部材５とは、脚部５２の突起５３を基部４の貫通孔４３に差し込むことにより結合される。この差し込みは、器具を使う必要がなく、指で押し込むだけでよい。薄肉部４４が脚部の差し込み時に瞬間的に開いた後で閉じるので、抜け防止となる。突起５３と基部４は摩擦力によりしっかりと固定されるが、脱落の虞があるときには、脚部５２に抜け防止用のカエリを設けることもできる。
【実施例２】
【００２６】
図３は表面側の装飾部３Ａの第２実施例であって、基部４Ａと表面部材５Ａからなる。
【００２７】
基部４Ａは、図３（ｂ−１）（ｂ−２）に示すように、中央が盛り上がってキノコ型突起４１Ａとなった円板４２Ａである。円板部４２Ａには数カ所糸の通過用の孔４５Ａがあり、この孔４５Ａを介して生地Ｆ２に縫い糸１５で取り付けられる（図１参照）。
【００２８】
表面部材５Ａは、図３（ａ）に示すように、肉厚の装飾円板５１Ａからなる。装飾円板５１Ａは、表面に文字や模様が刻印又は印刷された円板である。装飾円板の底部には、前記円柱突起を受け入れるための凹部５８が形成されている。
【００２９】
基部４Ａと表面部材５Ａとは、基部４Ａのキノコ型突起４１Ａを表面部材５Ａの凹部５８に差し込むことにより結合される。この差し込みは、器具を使う必要がなく、指で押し込むだけでよい。キノコ型突起４１Ａと凹部５８は摩擦力によりしっかりと固定されるが、脱落の虞があるときには、図示のように、キノコ型突起４１Ａに抜け防止用のカエリ４６を設けることが好ましい。
【実施例３】
【００３０】
図４は表面側の装飾部３Ｂの第３実施例であって、基部４Ｂと表面部材５Ｂからなる。
【００３１】
基部４Ｂは、図４（ｂ−１）（ｂ−２）に示すように、周縁部４７が盛り上がっている円板４２Ｂである。円板４２Ｂには数カ所糸の通過用の孔４５Ｂがあり、この孔４５Ｂを介して生地Ｆ２に縫い糸１５で取り付けられる（図１参照）。
【００３２】
表面部材５Ｂは、図４（ａ）に示すように、周縁部５６Ｂが盛り上がった装飾円板５１Ｂからなる。装飾円板５１Ｂは、表面に文字や模様が刻印又は印刷された円板である。
【００３３】
基部４Ｂと表面部材５Ｂとは、相互の周縁部４７，５６Ｂを弾力的に嵌め合わせることにより結合される。この差し込みは、器具を使う必要がなく、指で押し込むだけでよい。相互の周縁部４７，５６Ｂは弾性力によりしっかりと固定される。
【実施例４】
【００３４】
図５は表面側の装飾部３Ｃの第４実施例であって、基部４Ｃと表面部材５Ｃからなる。
【００３５】
基部４Ｃは、図５（ｂ−１）（ｂ−２）に示すように、周縁部４７Ｃが盛り上がってそこで雄ねじ部４８を形成している円板４２Ｃである。円板４２Ｃには数カ所糸の通過用の孔４５Ｃがあり、この孔４５Ｃを介して生地は２に縫い糸１５で取り付けられる（図１参照）。
【００３６】
表面部材５Ｃは、図５（ａ）に示すように、周縁部５６Ｃが盛り上がってそこで雌ねじ部５９を形成している装飾円板５１Ｃからなる。装飾円板５１Ｃは、表面に文字や模様が刻印又は印刷された円板である。
【００３７】
基部４Ｃと表面部材５Ｃとは、相互のねじ部４８，５９を締め合うことにより結合される。この差し込みは、器具を使う必要がなく、指でねじ部を回転させるだけでよい。
【実施例５】
【００３８】
図６は表面側の装飾部３Ｄの第５実施例であって、基部４Ｄと表面部材５Ｄからなる。
【００３９】
図２の第１実施例と異なるのは、基部４Ｄの素材を合成樹脂とすること及び円板４２Ｄに糸通し孔４５を設けないことである。この基部４Ｄを生地に取り付けるには、予め設けられた糸通し孔の代わりに、直接ミシン針で合成樹脂製基部４Ｄに小孔を開けながら縫い糸で生地に縫い付ければよい。
【実施例６】
【００４０】
図７は表面側の装飾部３Ｅの第６実施例であって、基部４Ｅと表面部材５Ｅからなる。
【００４１】
図２の第１実施例と異なるのは、基部４Ｅの素材を合成樹脂とすること、円板４２Ｅに糸通し孔４５を設けないこと、及び、円柱段部４１を設けないことである。円柱段部４１がないので、中央に貫通孔を有する、平坦な円板４２Ｅである。この基部４Ｄを生地に取り付けるには、予め設けられた糸通し孔の代わりに、直接ミシン針で合成樹脂製基部４Ｄに小孔を開けながら縫い糸で生地に縫い付ければよい。
【実施例７】
【００４２】
図８は、装飾部３Ｆをボタンの雄部材２Ｆの表面側に取り付けた状態を示す第７実施例である。図１における装飾部３Ｆがボタンの雄部材２Ｆの表面側に移動したと考えることができる。装飾部３Ｆは、基部４Ｆと表面部材５Ｆからなる。この実施例では、装飾部３Ｆの脚部５２Ｆが長いときでも、係合突起２２Ｆの内側空洞２２Ｆ’の中に生地Ｆ１ごと食い込むことができるので、係合力が高められるという効果がある。図示しないが、このとき、装飾部３Ｆとして、第２実施例（図３）〜第６実施例（図７）に示したものを使用することもできる。
【実施例８】
【００４３】
図９は、装飾部３Ｇをボタンとは無関係に生地Ｆ３に取り付けた状態を示す第８実施例である。図１（ａ）から雌ボタン１がなくなった形態、又は、図８（ｂ）から雄ボタン２Ｆがなくなった形態と考えることができる。装飾部３Ｇは、基部４Ｇと表面部材５Ｇからなる。基部４Ｇは糸１６により生地Ｆ３に縫い付けられる。図示しないが、このとき、装飾部３Ｇとして、第２実施例（図３）〜第６実施例（図７）に示したものを使用することもできる。
【００４４】
このようなボタンの装飾部３Ｇは、雌雄ボタンを持たないので生地の接合には使用することができないが、装飾として使用することができる。
【図面の簡単な説明】
【００４５】
【図１】本発明第１実施例のボタンを取り付けた状態の断面図であり、（ａ）雌ボタン１と（ｂ）雄ボタン２を別々に示している。
【図２】表面側の装飾部であって、基部４の断面図（ｂ）及び平面図（ｃ）並びに表面部材５の断面図（ａ）を表している。
【図３】表面側の装飾部３Ａの第２実施例であって、基部４Ａの断面図（ｂ）及び平面図（ｃ）並びに表面部材５Ａの断面図（ａ）を表している。
【図４】表面側の装飾部３Ｂの第３実施例であって、基部４Ｂの断面図（ｂ）及び平面図（ｃ）並びに表面部材５Ｂの断面図（ａ）を表している。
【図５】表面側の装飾部３Ｃの第４実施例であって、基部４Ｃの断面図（ｂ）及び平面図（ｃ）並びに表面部材５Ｃの断面図（ａ）を表している。
【図６】表面側の装飾部３Ｄの第５実施例であって、基部４Ｄの断面図（ｂ）及び平面図（ｃ）並びに表面部材５Ｄの断面図（ａ）を表している。
【図７】表面側の装飾部３Ｅの第６実施例であって、基部４Ｅの断面図（ｂ）及び平面図（ｃ）並びに表面部材５Ｅの断面図（ａ）を表している。
【図８】本発明第７実施例のボタンを取り付けた状態の断面図であり、（ａ）雌ボタン１Ｆと（ｂ）雄ボタン２Ｆを別々に示している。
【図９】装飾部３Ｇを生地Ｆ３に取り付けた状態を示す第８実施例である。
【符号の説明】
【００４６】
１，１Ｆ      雌ボタン
１１   係合凹部
１２   椀状部材
１３   バネ
１４   孔
１５   縫い糸
２，２Ｆ      雄ボタン
２１   取付基部
２２   係合用突起
２３   孔
２４   縫い糸
３，３Ａ，３Ｂ，３C，３Ｄ，３Ｅ，３Ｆ，３Ｇ      装飾部
４，４Ａ，４Ｂ，４C，４Ｄ，４Ｅ，４Ｆ，４Ｇ      基部
４１   円柱段部
４１Ａ，４１Ｄ       キノコ型突起
４２，４２Ａ，４２Ｂ，４３Ｃ，４３Ｄ，４３Ｅ     円板
４３   貫通孔
４４   薄肉部
４５，４５Ａ，４５Ｂ，４５Ｃ       孔
４７   周縁部
４７，５６Ｂ  周縁部
４７Ｃ 周縁部
４８  雌ねじ部
５，５Ａ，５Ｂ，５C，５Ｄ，５Ｅ，５Ｆ，５Ｇ      表面部材
５１，５１Ａ，５１Ｂ，５１C，５１Ｄ，５１Ｅ      装飾円板
５２，５２Ｄ，５２Ｅ，５２Ｆ       脚部
５３   突起
５４   円板
５６，５６Ｂ，５６Ｃ，５７  周縁部
５８   凹部
５９   雄ねじ部
Ｆ１   生地
Ｆ２   生地
Ｆ３  生地
【図１】
0004646855.tif 000002
【図２】
0004646855.tif 000003
【図３】
0004646855.tif 000004
【図４】
0004646855.tif 000005
【図５】
0004646855.tif 000006
【図６】
0004646855.tif 000007
【図７】
0004646855.tif 000008
【図８】
0004646855.tif 000009
【図９】
0004646855.tif 000010